(57)【特許請求の範囲】
【請求項１】
前脚及び後脚の頂部にガーダを水平に設けると共に前記ガーダの海側端にブームヒンジを介してブームを起伏自在に設け、前記ガーダの上方に起伏ロープを巻回させた起伏ドラムを設け、前記前脚上に立設させたＡフレーム支柱の頂部に頂部シーブを設け、更に、前記ブームの先端に先端シーブを設け、かつ、該先端シーブと前記ブームヒンジとの間に中間シーブを設けたコンテナクレーンにおいて、前記ブームの起立時に、前記中間シーブの位置が前記頂部シーブと前記起伏ドラムを結ぶ起伏ロープ延長線よりも低くなるように、前記ブームヒンジから前記中間シーブまでの距離Ｘを設定し、かつ、前記起伏ドラムから
引き出した起伏ロープを、前記頂部シーブを経由して前記中間シーブに掛け渡した後、前記頂部シーブと前記先端シーブとの間に数回巻き掛けることを特徴とするコンテナクレーン。
【発明の詳細な説明】
【技術分野】
【０００１】
本発明は、コンテナの積み卸しを行うコンテナクレーンに関するものである。
【背景技術】
【０００２】
図４に示すように、従来、一般に、コンテナ船１等を係留する岸壁２には、コンテナ船１との間でコンテナ３の積み卸しを行うためのコンテナクレーン４が設けられている。コンテナクレーン４は、岸壁２上に岸壁に沿って移動自在に設けられた前脚５及び後脚６を有している。これら両脚５，６の間には、補強材としての水平材７及び斜材８が掛け渡されている。
【０００３】
前脚５及び後脚６の頂部には、ガーダ９ａが水平に設けられている。ガーダ９ａの海側端には、コンテナ船１の接岸時に邪魔にならないように、起伏自在にブーム９ｂが取り付けられている。ガーダ９ａ及びブーム９ｂによって構成された水平梁９は、バックステー１０、頂点鉄構１１及びテンションバー１２によって補強され、テンションバー１２は、ブーム９ｂの俯仰時に図示しない関節部で屈曲するようになっている。符号２０は、スプレッダ２２を昇降させるロープを示している（例えば、特許文献１参照。）。
【０００４】
特許文献１では、ブーム９ｂを起伏させる起伏ロープについて記載されていないが、従来は、図５及び図６のロープ掛け図に示すシーブ配置になっており、ブームヒンジ２３を軸にしてブーム９ｂを起立させたときに、起伏ロープ１４を反らせるため、クレーン頂部に反らせシーブ１５を設けることが行われている。
【０００５】
この反らせシーブ１５は、図７に示すように、機械室１６の起伏ドラム１７からクレーン頂部の頂部シーブ１８を経由してブーム先端の先端シーブ１９に掛けられている起伏ロープ１４が、ブーム９ｂの起立時に、最短コースａを選んで頂部シーブ１８から外れるのを防いでいる。符号２１は、起伏ロープ１４の固定端を示している。
【０００６】
しかしながら、近年は、クレーンを工場で完成状態にして出荷するために、輸送時の製品（コンテナクレーン）の高さが高くなる。一方、輸送経路に橋や高圧電線等が掛かっている場合、通過制限高さがあり、クレーン高さに制限が必要となるが、反らせシーブ１５がコンテナクレーンの最も高い位置にあるため、この反らせシーブ１５の高さを如何に低く抑えることが、橋の通過制限高さをクリアするための課題になる。
【０００７】
一般的には、輸送時、高さ制限がある場合には、反らせシーブ１５を取り外して現地で組み立てるが、コンテナクレーンの高さが約８０ｍもあることから、反らせシーブ１５の組み立てに一般的な重機が使用できない。また、反らせシーブ１５の取り付けが現地での高所作業となるため、難しい作業となっている。
【０００８】
また、従来は、ブーム９ｂの先端だけを起伏ロープ１４で支えるため、ブーム９ｂが撓み易い。そのため、ブーム９ｂを起立状態に固定する固定装置との位置合わせの際に、部材の撓みによる誤差調整が必要であった。そのため、撓んだ状態で現物に合わせ位置決め調整後、溶接取付けとなる。溶接が高所で行なわれるため、低所作業者の人払い、或いは塗装面の養生が必要となるため、工期が長くなる問題がある。
【先行技術文献】
【特許文献】
【０００９】
【特許文献１】特開平９−５８９７３号公報
【発明の概要】
【発明が解決しようとする課題】
【００１０】
本発明は、上記のような問題を解決するためになされたものであり、その目的とするところは、上記問題点をクリアするコンテナクレーンを提供することにある。
【課題を解決するための手段】
【００１１】
請求項１に係るコンテナクレーンは、前脚及び後脚の頂部にガーダを水平に設けると共に前記ガーダの海側端にブームヒンジを介してブームを起伏自在に設け、前記ガーダの上方に起伏ロープを巻回させた起伏ドラムを設け、前記前脚上に立設させたＡフレーム支柱の頂部に頂部シーブを設け、更に、前記ブームの先端に先端シーブを設け、かつ、該先端シーブと前記ブームヒンジとの間に中間シーブを設けたコンテナクレーンにおいて、前記ブームの起立時に、前記中間シーブの位置が前記頂部シーブと前記起伏ドラムを結ぶ起伏ロープ延長線よりも低くなるように、前記ブームヒンジから前記中間シーブまでの距離Ｘ
を設定し、かつ、前記起伏ドラムから引き出した起伏ロープを、前記頂部シーブを経由して前記中間シーブに掛け渡した後、前記頂部シーブと前記先端シーブとの間に数回巻き掛けることを特徴とするものである。
【発明の効果】
【００１３】
本発明に係るコンテナクレーンは、前脚及び後脚の頂部にガーダを水平に設けると共に前記ガーダの海側端にブームヒンジを介してブームを起伏自在に設け、前記ガーダの上方に起伏ロープを巻回させた起伏ドラムを設け、前記前脚上に立設させたＡフレーム支柱に頂部シーブを設け、更に、前記ブームの先端に先端シーブを設けたコンテナクレーンにおいて、前記ガーダの海側端に設けたブームヒンジと前記ブームの先端に設けた先端シーブとの間に中間シーブを配置し、前記起伏ドラムから引き出した起伏ロープを、クレーン頂部の頂部シーブを経由して前記中間シーブに掛け渡すと共に、該中間シーブから前記頂部シーブを経由して前記先端シーブに掛け渡すため、ブームを起立させた時に、ブームの略中間部に設けた中間シーブがクレーン頂部の頂部シーブよりもブーム側に位置し、起伏ロープが頂部シーブから外れなくなる。
【００１４】
このため、クレーン頂部に設けられていた反らせシーブが不要となるため、現地での組み立て作業が不要となり、工期が短縮されると共に、難しい現地作業を回避できる。また、重機も不要となるため、重機選定の制限を受けなくなる。
【００１５】
また、従来技術では、ブームが起立状態に近くなると、ワイヤロープが真下に向くため、ブームに作用するロープ張力は、ほとんど真下に作用する。このため、ブームを水平方向に引っ張る水平力成分が小さくなり、ブームを起立状態にする作業効率が悪いが、本発明のローピングでは、水平力成分が生じるため、ブームを起立状態にする作業効率が良くなる。
【００１６】
また、従来は、ブーム先端だけを起伏ロープで支えるため、ブームに撓みが生じ易い。そのため、ブームを起立状態に固定するブーム固定装置との位置合わせの際に、部材の撓みによる誤差調整が必要であったが、本発明のローピングでは、ブーム先端のみならず、ブームの中間部も起伏ロープで支えるため、ブームの撓みが低減され、ブームを起立状態に固定するブーム固定装置の誤差調整が少なく、調整代が少ないため、取付け部材の小型化が図れる。
【図面の簡単な説明】
【００１７】
【図１】本発明に係るコンテナクレーンの概略構成図である。
【図２】本発明のロープ掛け方法を示す斜視図である。
【図３】ブーム起立時の起伏ロープの掛け渡し状態を示す側面図である。
【図４】一般的なコンテナクレーンの概略構成図である。
【図５】従来のコンテナクレーンの概略構成図である。
【図６】従来のロープ掛け方法を示す斜視図である。
【図７】ブーム起立時の起伏ロープの掛け渡し状態を示す側面図である。
【発明を実施するための形態】
【００１８】
図１に示すように、本発明のコンテナクレーン４は、一般的なコンテナクレーンと同様に、前脚５及び後脚６の頂部にガーダ９ａを水平に設けている。ガーダ９ａの海側の端部には、ブームヒンジ２３を介してブーム９ｂを起伏自在に取り付け、コンテナ船の接岸時に邪魔にならないようにしている。ガーダ９ａ及びブーム９ｂによって構成された水平梁９は、Ａフレーム１０ａ、前脚５の頂部に立設させたＡフレーム支柱１１ａ及びテンションバー１２ａ，１２ｂによって補強され、テンションバー１２ａ，１２ｂは、ブーム９ｂの起伏時に図示しないヒンジ部で屈曲するようになっている。
【００１９】
更に、クレーン頂部となるＡフレーム支柱１１ａの頂部に頂部シーブ１８を設けると共に、ブーム９ｂの先端に先端シーブ１９を設けている。その上、本発明のコンテナクレーン４は、ガーダ９ａの海側端に設けたブームヒンジ２３と、ブーム９ｂの先端に設けた先端シーブ１９との間に中間シーブ２４を配置している。その際、ガーダ９ａの海側端に設けたブームヒンジ２３からブーム９ｂに設けた中間シーブ２４迄の距離Ｘを頂部シーブ１８の高さＹよりも小さく設定する必要がある。換言すれば、ブーム起伏状態で、中間シーブ２４の位置は、頂部シーブ１８と起伏ドラム１７を結ぶ起伏ロープ１４の延長線２６よりも低くなるように、ガーダ９ａの海側端に設けられているブームヒンジ２３から中間シーブ２４迄の距離Ｘを決める必要がある。
【００２０】
そして、図１に示すように、ガーダ９ａの上方に設置した機械室１６内の起伏ドラム１７から引き出した起伏ロープ１４を、クレーン頂部の頂部シーブ１８を経由して中間シーブ２４に掛け渡した後、更に、前記中間シーブ２４から前記頂部シーブ１８を経由して先端シーブ１９に掛け渡している。
【００２１】
より詳しく説明すると、図２に示すように、起伏ドラム１７から引き出した起伏ロープ１４を、クレーン頂部の第１頂部シーブ１８1 を経由して中間シーブ２４に掛け渡すと共に、この中間シーブ２４から第２頂部シーブ１８2 →第１先端シーブ１９1 →第３頂部シーブ１８3 →第２先端シーブ１９2 →第４頂部シーブ１８4 →第３先端シーブ１９3 の順に掛け渡し、その自由端をＡフレーム支柱１１ａに取り付けている。符号２１は、その固定端を示している。
【００２２】
図３に示すように、ガーダ９ａの海側端に設けたブームヒンジ２３を支点にしてブーム９ｂを所定の角度θ（例えば、８４°）に起立させると、ブーム９ｂの略中間部に設けた中間シーブ２４が頂部シーブ１８と起伏ドラム１７を結ぶ起伏ロープ１４の延長線２６よりも低くなるため、頂部シーブ１８から起伏ロープ１４が外れなくなる。このとき、ブーム９ｂを起伏状態に固定するブーム固定装置（図示せず）どうしが自動的に連結する。
【符号の説明】
【００２３】
５  前脚
６  後脚
９ａ  ガーダ
９ｂ  ブーム
１４  起伏ロープ
１７  起伏ドラム
１９  先端シーブ
２３  ブームヒンジ
２４  中間シーブ
【図１】
0005519374.tif 000002
【図２】
0005519374.tif 000003
【図３】
0005519374.tif 000004
【図４】
0005519374.tif 000005
【図５】
0005519374.tif 000006
【図６】
0005519374.tif 000007
【図７】
0005519374.tif 000008